(57)【要約】【課題】  消火用補助材において、直径８０ｍ〜９０ｍの石油タンク等において可燃性液体の全面火災になった場合にも、確実に泡消火剤・粉末消火剤によって消火できること。【解決手段】  消火用補助材１は、外径Ｒ＝約４ｍｍ〜約８ｍｍ、肉厚ｔ＝約０．５ｍｍ〜約２ｍｍの廃材のガラスからなる中空のガラスビーズで、次々と投入されることによって断熱効果により炎の温度も低下するため、石油等の可燃性液体の表面に形成された断熱層・空気遮断層が破壊されることもない。中空のガラスビーズ１の熱伝導率は約０．０９Ｗ／（ｍ・Ｋ）で空気以外のどの物質よりも小さいため、中空のガラスビーズ１は優れた断熱性を示す。一辺約１ｍの角形の金属製バットに灯油を満たし、着火して全面に炎が回ったところで、中空のガラスビーズ１を次々に投入したところ、炎の勢いは急速に弱まり、市販の泡消火器で泡消火剤を噴射したところ、直ちに消火することができた。【選択図】        図１
2007029125.tif 000002
【特許請求の範囲】
【請求項１】
可燃性液体の火災発生時における消火用補助材であって、
無機化合物の中空粒子で、比重が０．２〜０．６の範囲内で、短時間耐熱性が１３００℃〜１６００℃の範囲内であり、泡消火剤及び／または粉末消火剤を噴射する前に、或いは泡消火剤及び／または粉末消火剤を噴射するのと同時に、前記可燃性液体の表面に散布して断熱層・空気遮断層を形成することを特徴とする消火用補助材。
【請求項２】
前記無機化合物の中空粒子は耐油性を有することを特徴とする請求項１に記載の消火用補助材。
【請求項３】
前記無機化合物の中空粒子は中空のガラスビーズであることを特徴とする請求項１または請求項２に記載の消火用補助材。
【請求項４】
可燃性液体の火災発生時における消火用補助材であって、
複数の中空のガラスビーズを融着させてまたは複数の中空のガラスビーズを無機系接着剤で接着させて形成したガラスビーズブロックで比重が０．２〜０．６の範囲内であり、
泡消火剤及び／または粉末消火剤を噴射する前に、或いは泡消火剤及び／または粉末消火剤を噴射するのと同時に、前記ガラスビーズブロックのみを複数個または前記複数の中空のガラスビーズを混合して前記可燃性液体の表面に散布して断熱層・空気遮断層を形成することを特徴とする消火用補助材。
【請求項５】
可燃性液体の火災発生時における消火用補助材であって、
ガラスを主原料として発泡剤を加えて成形して焼成時に内部で発泡させて形成した中空微細気泡ガラスブロックであって、
比重が０．２〜０．６の範囲内であり、
泡消火剤及び／または粉末消火剤を噴射する前に、或いは泡消火剤及び／または粉末消火剤を噴射するのと同時に、前記中空微細気泡ガラスブロックのみを複数個または複数の中空のガラスビーズを混合して前記可燃性液体の表面に散布して断熱層・空気遮断層を形成することを特徴とする消火用補助材。
【請求項６】
前記複数の中空のガラスビーズを融着させてまたは前記複数の中空のガラスビーズを無機系接着剤で接着させて形成したガラスビーズブロック或いは前記中空微細気泡ガラスブロックは、長さ１０ｍｍ〜５００ｍｍ、幅１０ｍｍ〜５００ｍｍ、厚さ１０ｍｍ〜１００ｍｍの大きさであることを特徴とする請求項４または請求項５に記載の消火用補助材。
【請求項７】
前記中空のガラスビーズまたは前記中空微細気泡ガラスブロックは、廃材のガラスから製造されたことを特徴とする請求項３乃至請求項６のいずれか１つに記載の消火用補助材。
【請求項８】
前記無機化合物の中空粒子または前記中空のガラスビーズの外径は、約１ｍｍ〜約２０ｍｍの範囲内であることを特徴とする請求項１乃至請求項７のいずれか１つに記載の消火用補助材。
【請求項９】
前記無機化合物の中空粒子または前記中空のガラスビーズ或いは前記中空微細気泡ガラスブロックの熱伝導率は、約０．０５Ｗ／（ｍ・Ｋ）〜約０．２Ｗ／（ｍ・Ｋ）の範囲内であることを特徴とする請求項１乃至請求項７のいずれか１つに記載の消火用補助材。
【請求項１０】
前記無機化合物の中空粒子または前記中空のガラスビーズまたは前記ガラスビーズブロック或いは前記中空微細気泡ガラスブロックの表面を難燃剤で被覆したことを特徴とする請求項１乃至請求項９のいずれか１つに記載の消火用補助材。
【請求項１１】
前記難燃剤は水酸化マグネシウム、炭酸カルシウム、水酸化カルシウムのいずれかであることを特徴とする請求項１０に記載の消火用補助材。
【請求項１２】
可燃性液体の火災発生時における消火方法であって、
前記請求項１乃至請求項１１のいずれか１つに記載の消火用補助材を泡消火剤及び／または粉末消火剤を噴射する前に、或いは泡消火剤及び／または粉末消火剤を噴射するのと同時に、前記可燃性液体の表面に散布することを特徴とする可燃性液体の消火方法。
【請求項１３】
前記可燃性液体は石油精製製品であることを特徴とする請求項１乃至請求項１１のいずれか１つに記載の消火用補助材または請求項１２に記載の可燃性液体の消火方法。
【発明の詳細な説明】
【技術分野】
【０００１】
本発明は、石油コンビナート等における石油タンク火災やタンカー（油輸送船）火災等の可燃性液体の火災発生時に、泡消火剤・粉末消火剤の噴射前に可燃性液体の表面に散布することによって断熱層・空気遮断層を形成し、泡消火剤・粉末消火剤による消火を容易にするための消火用補助材及び可燃性液体の消火方法に関するものである。
【背景技術】
【０００２】
石油コンビナートにおける石油タンク等に収納されている原油及び石油精製製品（ナフサ・ガソリン・灯油・軽油等）に火災が発生した場合には、泡消火剤が油火災に対して最も有効であるために、我が国の消防法による規制では、原油等の屋外タンクで液表面積４０ｍ2 以上（直径７．１ｍ以上）またはタンク高さが６ｍ以上のものには、固定の蛋白泡消火設備を設けることが義務付けられている。しかし、泡消火設備は完全自動化が困難であるため、人為的な火災発見・ポンプ起動・弁操作が必要となり、しかも送液配管が数百ｍに及ぶこともあり、起動から泡放出までに数分を要し、さらに火災発見の遅れが加わると、初期消火が間に合わずに全面火災に拡大する場合があり、かかる場合には泡消火設備でも消火は極めて困難になってしまう。
【０００３】
そこで、特許文献１においては、可燃性油類に対して水成膜及び泡を形成し、可燃性油類はもとより、水溶性可燃性液体類の火災にも有効な消火能力を有する水成膜泡消火薬剤について開示している。また、特許文献２においては、オゾン層破壊の原因になるとして使用できなくなったハロン消火設備に代えて浮屋根タンク上の局所火災を安全確実に初期消火でき、かつ泡との共存性も良い浮屋根タンク用消火装置について開示している。
【特許文献１】特開２０００−１２６３２７号公報
【特許文献２】特開２０００−１４０１４２号公報
【発明の開示】
【発明が解決しようとする課題】
【０００４】
しかしながら、上記特許文献１に記載の水成膜泡消火薬剤についての消火性能試験は、直径９０ｍｍ、深さ９０ｍｍのステンレス製容器に水溶性可燃性液体２００ｍｌを入れて点火した場合の消火性能について検討したものであり、実際の直径８０ｍ〜９０ｍにも及ぶ石油タンクや巨大なタンカーにおいては、全面火災になった場合には泡が油分を吸い込んで燃えてしまい、消火するのに時間が掛かってしまう。また、特許文献２に記載の浮屋根タンク用消火装置についても、確実に初期消火できるとしているが、全面火災になった場合には、やはり粉末及び泡が油分を吸い込んで燃えてしまって消火するのに時間が掛かってしまうという問題点があった。
【０００５】
そこで、本発明は、直径８０ｍ〜９０ｍにも及ぶ石油タンクやタンカー（油輸送船）等において可燃性液体の全面火災になった場合にも、確実に泡消火剤及び／または粉末消火剤によって短時間で消火することができる消火用補助材及び可燃性液体の消火方法を提供することを課題とするものである。
【課題を解決するための手段】
【０００６】
請求項１の発明にかかる消火用補助材は、可燃性液体の火災発生時における消火用補助材であって、無機化合物の中空粒子で比重が０．２〜０．６の範囲内で短時間耐熱性が１３００℃〜１６００℃の範囲内であり、泡消火剤及び／または粉末消火剤を噴射する前に、或いは泡消火剤及び／または粉末消火剤を噴射するのと同時に、前記可燃性液体の表面に散布して断熱層・空気遮断層を形成するものである。
【０００７】
ここで、「短時間耐熱性」とは、所定の温度範囲内に数秒間（通常３〜５秒間）置かれても溶解しないことをいうものとする。また、「泡消火剤及び／または粉末消火剤を噴射する」とは、泡消火剤のみを噴射する場合と、粉末消火剤のみを噴射する場合と、泡消火剤と粉末消火剤の両方を噴射する場合との全てを含む意味である。
【０００８】
請求項２の発明にかかる消火用補助材は、請求項１の構成において、前記無機化合物の中空粒子は耐油性を有するものである。
【０００９】
請求項３の発明にかかる消火用補助材は、請求項１または請求項２の構成において、前記無機化合物の中空粒子は中空のガラスビーズであるものである。
【００１０】
請求項４の発明にかかる消火用補助材は、可燃性液体の火災発生時における消火用補助材であって、複数の中空のガラスビーズを融着させてまたは複数の中空のガラスビーズを無機系接着剤で接着させて形成したガラスビーズブロックで比重が０．２〜０．６の範囲内であり、泡消火剤及び／または粉末消火剤を噴射する前に、或いは泡消火剤及び／または粉末消火剤を噴射するのと同時に、前記ガラスビーズブロックのみを複数個または前記複数の中空のガラスビーズを混合して前記可燃性液体の表面に散布して断熱層・空気遮断層を形成するものである。
【００１１】
請求項５の発明にかかる消火用補助材は、可燃性液体の火災発生時における消火用補助材であって、ガラスを主原料として発泡剤を加えて成形して焼成時に内部で発泡させて形成した中空微細気泡ガラスブロックであって、比重が０．２〜０．６の範囲内であり、泡消火剤及び／または粉末消火剤を噴射する前に、或いは泡消火剤及び／または粉末消火剤を噴射するのと同時に、前記中空微細気泡ガラスブロックのみを複数個または複数の中空のガラスビーズを混合して前記可燃性液体の表面に散布して断熱層・空気遮断層を形成するものである。
【００１２】
請求項６の発明にかかる消火用補助材は、請求項４または請求項５の構成において、前記複数の中空のガラスビーズを融着させてまたは前記複数の中空のガラスビーズを無機系接着剤で接着させて形成したガラスビーズブロック或いは前記中空微細気泡ガラスブロックは、長さ１０ｍｍ〜５００ｍｍ、幅１０ｍｍ〜５００ｍｍ、厚さ１０ｍｍ〜１００ｍｍの範囲内の大きさ、より好ましくは長さ８０ｍｍ〜２００ｍｍ、幅８０ｍｍ〜２００ｍｍ、厚さ１５ｍｍ〜５０ｍｍの範囲内の大きさであるものである。
【００１３】
請求項７の発明にかかる消火用補助材は、請求項３乃至請求項６のいずれか１つの構成において、前記中空のガラスビーズまたは前記中空微細気泡ガラスブロックは廃材のガラスから製造されたものである。
【００１４】
請求項８の発明にかかる消火用補助材は、請求項１乃至請求項７のいずれか１つの構成において、前記無機化合物の中空粒子または前記中空のガラスビーズの外径は約１ｍｍ〜約２０ｍｍの範囲内、より好ましくは約４ｍｍ〜約８ｍｍの範囲内であるものである。
【００１５】
請求項９の発明にかかる消火用補助材は、請求項１乃至請求項８のいずれか１つの構成において、前記無機化合物の中空粒子または前記中空のガラスビーズ或いは前記中空微細気泡ガラスブロックの熱伝導率は約０．０５Ｗ／（ｍ・Ｋ）〜約０．２Ｗ／（ｍ・Ｋ）の範囲内、より好ましくは約０．０７Ｗ／（ｍ・Ｋ）〜約０．１Ｗ／（ｍ・Ｋ）の範囲内であるものである。
【００１６】
請求項１０の発明にかかる消火用補助材は、請求項１乃至請求項９のいずれか１つの構成において、前記無機化合物の中空粒子または前記中空のガラスビーズまたは前記ガラスビーズブロック或いは前記中空微細気泡ガラスブロックの表面を難燃剤で被覆したものである。
【００１７】
請求項１１の発明にかかる消火用補助材は、請求項１０の構成において、前記難燃剤は水酸化マグネシウム、炭酸カルシウム、水酸化カルシウムのいずれかであるものである。
【００１８】
請求項１２の発明にかかる可燃性液体の消火方法は、可燃性液体の火災発生時における消火方法であって、前記請求項１乃至請求項１１のいずれか１つに記載の消火用補助材を泡消火剤及び／または粉末消火剤を噴射する前に、或いは泡消火剤及び／または粉末消火剤を噴射するのと同時に前記可燃性液体の表面に散布するものである。
【００１９】
ここで、「泡消火剤及び／または粉末消火剤を噴射する」とは、泡消火剤のみを噴射する場合と、粉末消火剤のみを噴射する場合と、泡消火剤と粉末消火剤の両方を噴射する場合との全てを含む意味である。
【００２０】
請求項１３の発明にかかる消火用補助材または可燃性液体の消火方法は、請求項１乃至請求項１２のいずれか１つの構成において、前記可燃性液体は石油精製製品であるものである。
【００２１】
ここで、「石油精製製品」としては、ナフサ、ガソリン、灯油、軽油、重油等がある。
【発明の効果】
【００２２】
請求項１の発明にかかる消火用補助材は、可燃性液体の火災発生時における消火用補助材であって、無機化合物の中空粒子で比重が０．２〜０．６の範囲内で短時間耐熱性が１３００℃〜１６００℃の範囲内であり、泡消火剤及び／または粉末消火剤を噴射する前に、或いは泡消火剤及び／または粉末消火剤を噴射するのと同時に、可燃性液体の表面に散布して断熱層・空気遮断層を形成する。
【００２３】
ここで、「無機化合物」としては、シリカ（ＳｉＯ2 ）、アルミナ（Ａｌ2 Ｏ3 ）、ガラス、等が挙げられる。
【００２４】
このように、本発明にかかる消火用補助材は比重が０．２〜０．６の範囲内であるから、比重が０．７５〜０．９５の範囲内である原油及び石油精製製品（ナフサ・ガソリン・灯油・軽油等）に浮き、勿論メタノール（比重０．７９５）・エタノール（比重０．７８９）・ジエチルエーテル（比重０．７）・アセトン（比重０．７９）・トリエチルアミン（比重０．７２）等の水溶性可燃性液体にも浮いて、これらの可燃性液体の表面に断熱層を形成する。
【００２５】
また、石油火災の場合、油面は８００℃程度であるが炎は１３００℃前後に達するが、本発明にかかる消火用補助材は短時間耐熱性が１３００℃〜１６００℃の範囲内であるため、炎の中に投入されても溶けることなく、次々と投入されることによって断熱効果により炎の温度も低下するため、可燃性液体の表面に形成された断熱層が破壊されることはない。
【００２６】
このように、無機化合物の中空粒子によって形成された断熱層の断熱効果と空気遮断効果によって火災の勢いが衰えたところで、或いは無機化合物の中空粒子を散布するのと同時に、泡消火剤及び／または粉末消火剤を噴射することによって、さらに完全な断熱層・空気遮断層が形成されて、可燃性液体の火災は完全に鎮火する。ここで、消火用補助材は可燃性液体の表面を完全に覆う必要はなく、６０％近く覆うことによって、泡消火剤及び／または粉末消火剤を噴射することによる消火の効果が高まる。
【００２７】
このようにして、直径８０ｍ〜９０ｍにも及ぶ石油タンクやタンカー（油輸送船）等において可燃性液体の全面火災になった場合にも、確実に泡消火剤及び／または粉末消火剤によって短時間で消火することができる消火用補助材となる。
【００２８】
請求項２の発明にかかる消火用補助材は、無機化合物の中空粒子が耐油性を有する。ここで、「耐油性」とは、石油精製製品を始めとする可燃性液体に溶けず、侵食されず、可燃性液体が浸み込まないことをいうものとする。
【００２９】
これによって、石油精製製品（ナフサ・ガソリン・灯油・軽油等）や、メタノール・エタノール・ジエチルエーテル・アセトン・トリエチルアミン等の水溶性可燃性液体にも溶けず、侵食されず、浸み込まないため、これらの可燃性液体の表面に確実に断熱層・空気遮断層を形成する。
【００３０】
このように、耐油性の無機化合物の中空粒子によって形成された断熱層と空気遮断層によって火災の勢いが衰えたところで、或いは耐油性の無機化合物の中空粒子を散布するのと同時に、泡消火剤及び／または粉末消火剤を噴射することによって、さらに完全な断熱層・空気遮断層が形成されて、可燃性液体の火災は完全に鎮火する。ここで、消火用補助材は可燃性液体の表面を完全に覆う必要はなく、６０％近く覆うことによって、泡消火剤及び／または粉末消火剤を噴射することによる消火の効果が高まる。
【００３１】
このようにして、直径８０ｍ〜９０ｍにも及ぶ石油タンクやタンカー（油輸送船）等において可燃性液体の全面火災になった場合にも、確実に泡消火剤及び／または粉末消火剤によって短時間で消火することができる消火用補助材となる。
【００３２】
請求項３の発明にかかる消火用補助材は、無機化合物の中空粒子が中空のガラスビーズである。したがって、ガラスであることから耐油性を有し、油面に散布された場合にも油分を吸い込むことがなく、確実に可燃性液体の表面に断熱層・空気遮断層を形成する。また、かかる中空のガラスビーズは、溶鉱炉（約１６００℃）の断熱にも使用されていることから、短時間耐熱性が約１６００℃あるものと考えられる。よって、炎の中に投入されても溶けることなく、次々と投入されることによって断熱効果により炎の温度も低下するため、可燃性液体の表面に形成された断熱層・空気遮断層が破壊されることはない。
【００３３】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる消火用補助材となる。
【００３４】
請求項４の発明にかかる消火用補助材は、可燃性液体の火災発生時における消火用補助材であって、複数の中空のガラスビーズを融着させてまたは複数の中空のガラスビーズを無機系接着剤で接着させて形成したガラスビーズブロックで比重が０．２〜０．６の範囲内であり、泡消火剤及び／または粉末消火剤を噴射する前に、或いは泡消火剤及び／または粉末消火剤を噴射するのと同時に、前記ガラスビーズブロックのみを複数個または複数の中空のガラスビーズを混合して可燃性液体の表面に散布して断熱層・空気遮断層を形成する。
【００３５】
このように、中空のガラスビーズでブロックを形成することによって、火災を起こしている可燃性液体に投下したときに、炎の高温で表面の中空のガラスビーズが溶けたり割れたりしても、内部の中空のガラスビーズは確実にその形状を保ったまま可燃性液体の表面に落下する。そして、前述の如く、可燃性液体の比重は０．７〜０．９５の範囲内にあり、本発明にかかる中空のガラスビーズのブロックは比重が０．２〜０．６の範囲内にあるため、可燃性液体に浮き、可燃性液体の表面に断熱層・空気遮断層を形成する。
【００３６】
そして、本発明にかかるガラスビーズブロックは中空のガラスビーズを融着させてまたは中空のガラスビーズを無機系接着剤で接着させて形成したものであるため、高温の可燃性液体に触れても表面の中空のガラスビーズは溶けたり割れたりする可能性があるが、ガラスビーズブロックがばらばらに分解してしまうことはない。また、ガラスビーズブロック同士の隙間を埋めるために、単体の中空のガラスビーズを混合して散布するのが、より効果的である。
【００３７】
そして、ガラスであることから耐油性を有し、油面に散布された場合にも油分を吸い込むことがなく、確実に可燃性液体の表面に断熱層・空気遮断層が形成される。また、かかる中空のガラスビーズは、溶鉱炉（約１６００℃）の断熱にも使用されていることから、短時間耐熱性が約１６００℃あるものと考えられる。よって、炎の中に投入されても溶けることなく、次々と投入されることによって断熱効果により炎の温度も低下するため、可燃性液体の表面に形成された断熱層・空気遮断層が破壊されることはない。
【００３８】
このように可燃性液体の表面に形成される断熱層・空気遮断層の効果によって、火災の勢いを衰えさせることができ、本発明にかかるガラスビーズブロックを散布した後に、或いは本発明にかかるガラスビーズブロックを散布するのと同時に、泡消火剤及び／または粉末消火剤を噴射することによって、さらに完全な断熱層・空気遮断層が形成されて、可燃性液体の火災は完全に鎮火する。
【００３９】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる消火用補助材となる。
【００４０】
請求項５の発明にかかる消火用補助材は、可燃性液体の火災発生時における消火用補助材であって、ガラスを主原料として発泡剤を加えて成形して焼成時に内部で発泡させて形成した中空微細気泡ガラスブロックであって、比重が０．２〜０．６の範囲内であり、泡消火剤及び／または粉末消火剤を噴射する前に、或いは泡消火剤及び／または粉末消火剤を噴射するのと同時に、中空微細気泡ガラスブロックのみを複数個または複数の中空のガラスビーズを混合して前記可燃性液体の表面に散布して断熱層・空気遮断層を形成する。
【００４１】
このように、内部に微細な気泡を有するガラスブロックを、火災を起こしている可燃性液体に投下したときに、炎の高温で中空微細気泡ガラスブロックの表面が溶けたり割れたりしても、中空微細気泡ガラスブロックの内部の微細な気泡を有するガラスは確実にその形状を保ったまま可燃性液体の表面に落下する。そして、前述の如く、可燃性液体の比重は０．７〜０．９５の範囲内にあり、本発明にかかる中空微細気泡ガラスブロックは比重が０．２〜０．６の範囲内にあるため、可燃性液体に浮き、可燃性液体の表面に断熱層・空気遮断層を形成する。
【００４２】
そして、中空微細気泡ガラスブロック同士の隙間を埋めるために、単体の中空のガラスビーズを混合して散布するのが、より効果的である。また、ガラスであることから耐油性を有し、油面に散布された場合にも油分を吸い込むことがなく、確実に可燃性液体の表面に断熱層・空気遮断層が形成される。
【００４３】
このように可燃性液体の表面に形成される断熱層・空気遮断層の効果によって、火災の勢いを衰えさせることができ、本発明にかかる中空微細気泡ガラスブロックを散布した後に、或いは本発明にかかる中空微細気泡ガラスブロックを散布するのと同時に、泡消火剤及び／または粉末消火剤を噴射することによって、さらに完全な断熱層・空気遮断層が形成されて、可燃性液体の火災は完全に鎮火する。
【００４４】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる消火用補助材となる。
【００４５】
請求項６の発明にかかる消火用補助材は、複数の中空のガラスビーズを融着させてまたは複数の中空のガラスビーズを無機系接着剤で接着させて形成したガラスビーズブロック或いは中空微細気泡ガラスブロックが、長さ１０ｍｍ〜５００ｍｍ、幅１０ｍｍ〜５００ｍｍ、厚さ１０ｍｍ〜１００ｍｍの範囲内の大きさ、より好ましくは長さ８０ｍｍ〜１２０ｍｍ、幅８０ｍｍ〜１２０ｍｍ、厚さ１５ｍｍ〜５０ｍｍの範囲内の大きさである。
【００４６】
複数の中空のガラスビーズからなるブロックまたは中空微細気泡ガラスブロックは、余り小さ過ぎてもブロックにした効果が余り表れず、余り大き過ぎても取扱いが不便になる。そこで、ブロックの大きさを長さ１０ｍｍ〜５００ｍｍ、幅１０ｍｍ〜５００ｍｍ、厚さ１０ｍｍ〜１００ｍｍの範囲内とすることによって、複数の中空のガラスビーズまたは中空微細気泡ガラスブロックをブロックにした効果が充分に表れるとともに、取扱いにも便利である。さらに、ブロックの大きさを長さ８０ｍｍ〜１２０ｍｍ、幅８０ｍｍ〜１２０ｍｍ、厚さ１５ｍｍ〜５０ｍｍの範囲内とすることによって、ブロックにした効果がより顕著に表れるとともに、取扱いにもより便利となるため、より好ましい。
【００４７】
かかる大きさの複数の中空のガラスビーズからなるガラスビーズブロックまたは中空微細気泡ガラスブロックを複数個、また場合によっては単体の複数の中空のガラスビーズをも混合して、火災を起こしている可燃性液体の上から次々に投下することによって、可燃性液体に浮き、可燃性液体の表面に断熱層・空気遮断層を形成する。
【００４８】
そして、本発明にかかるガラスビーズブロックは中空のガラスビーズを融着させてまたは中空のガラスビーズを無機系接着剤で接着させて形成したものであるため、高温の可燃性液体に触れても表面の中空のガラスビーズは溶けたり割れたりする可能性があるが、ガラスビーズブロックがばらばらに分解してしまうことはない。
【００４９】
このように可燃性液体の表面に形成される断熱層・空気遮断層の効果によって、火災の勢いを衰えさせることができ、本発明にかかるガラスビーズブロックまたは中空微細気泡ガラスブロックを散布した後に、或いは本発明にかかるガラスビーズブロックまたは中空微細気泡ガラスブロックを散布するのと同時に、泡消火剤及び／または粉末消火剤を噴射することによって、さらに完全な断熱層・空気遮断層が形成されて、可燃性液体の火災は完全に鎮火する。
【００５０】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる消火用補助材となる。
【００５１】
請求項７の発明にかかる消火用補助材は、中空のガラスビーズまたは中空微細気泡ガラスブロックが廃材のガラスから製造されたものである。よって、より低価格で製造・入手することができ、直径８０ｍ〜９０ｍにも及ぶ石油タンクの全面に大量に散布しても膨大なコストが掛かることはない。
【００５２】
そして、ガラスであることから油面に散布された場合にも油分を吸い込むことがなく、確実に可燃性液体の表面に断熱層・空気遮断層を形成する。また、かかる中空のガラスビーズは、溶鉱炉（約１６００℃）の断熱にも使用されていることから、短時間耐熱性が約１６００℃あるものと考えられる。よって、炎の中に投入されても溶けることなく、次々と投入されることによって断熱効果により炎の温度も低下するため、可燃性液体の表面に形成された断熱層・空気遮断層が破壊されることはない。
【００５３】
このように可燃性液体の表面に形成される断熱層・空気遮断層の効果によって、火災の勢いを衰えさせることができ、本発明にかかる中空のガラスビーズ及び／またはガラスビーズブロック及び／または中空微細気泡ガラスブロックを散布した後に、或いは本発明にかかる中空のガラスビーズ及び／またはガラスビーズブロック及び／または中空微細気泡ガラスブロックを散布するのと同時に、泡消火剤及び／または粉末消火剤を噴射することによって、さらに完全な断熱層・空気遮断層が形成されて、可燃性液体の火災は完全に鎮火する。
【００５４】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる低コストの消火用補助材となる。
【００５５】
請求項８の発明にかかる消火用補助材は、無機化合物の中空粒子または中空のガラスビーズの外径が約１ｍｍ〜約２０ｍｍの範囲内、より好ましくは約４ｍｍ〜約８ｍｍの範囲内である。
【００５６】
無機化合物の中空粒子または中空のガラスビーズの外径が余り小さくても、必要な厚さ（５０ｍｍ程度）の断熱層・空気遮断層を形成するのに時間が掛かってしまい、無機化合物の中空粒子または中空のガラスビーズの外径が余り大きくても、隙間が大きくなり過ぎて有効な断熱層・空気遮断層が得られないため、無機化合物の中空粒子の外径が約１ｍｍ〜約２０ｍｍの範囲内であること、さらに約４ｍｍ〜約８ｍｍの範囲内であることがより好ましい。
【００５７】
このように可燃性液体の表面に形成される断熱層・空気遮断層の効果によって、火災の勢いを衰えさせることができ、本発明にかかる無機化合物の中空粒子、中空のガラスビーズ及び／またはガラスビーズブロックを散布した後に、或いは本発明にかかる無機化合物の中空粒子、中空のガラスビーズ及び／またはガラスビーズブロックを散布するのと同時に、泡消火剤及び／または粉末消火剤を噴射することによって、さらに完全な断熱層・空気遮断層が形成されて、可燃性液体の火災は完全に鎮火する。
【００５８】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる消火用補助材となる。
【００５９】
請求項９の発明にかかる消火用補助材は、無機化合物の中空粒子または中空のガラスビーズ或いは中空微細気泡ガラスブロックの熱伝導率が約０．０５Ｗ／（ｍ・Ｋ）〜約０．２Ｗ／（ｍ・Ｋ）の範囲内、より好ましくは約０．０７Ｗ／（ｍ・Ｋ）〜約０．１Ｗ／（ｍ・Ｋ）の範囲内である。
【００６０】
水の熱伝導率は０．５Ｗ／（ｍ・Ｋ）であり、固体の中で熱伝導率の小さい硫酸カルシウム（石膏）の熱伝導率は０．３５〜０．４２Ｗ／（ｍ・Ｋ）、耐火レンガの熱伝導率は０．２〜０．３Ｗ／（ｍ・Ｋ）である。これに対して、外径が４ｍｍφ〜５ｍｍφの中空のガラスビーズの熱伝導率は０．０８８〜０．０９Ｗ／（ｍ・Ｋ）と極めて小さく、断熱性に優れている。
【００６１】
このように、熱伝導率が約０．０５Ｗ／（ｍ・Ｋ）〜約０．２Ｗ／（ｍ・Ｋ）の範囲内、より好ましくは約０．０７Ｗ／（ｍ・Ｋ）〜約０．１Ｗ／（ｍ・Ｋ）の範囲内である無機化合物の中空粒子または中空のガラスビーズ或いは中空微細気泡ガラスブロックで消火用補助材を構成することによって、断熱性に優れた断熱層・空気遮断層を形成することができ、より確実かつ短時間で火災の勢いを衰えさせることができ、本発明にかかる無機化合物の中空粒子、中空のガラスビーズ及び／またはガラスビーズブロック及び／または中空微細気泡ガラスブロックを散布した後に、或いは本発明にかかる無機化合物の中空粒子、中空のガラスビーズ及び／またはガラスビーズブロック及び／または中空微細気泡ガラスブロックを散布するのと同時に、泡消火剤及び／または粉末消火剤を噴射することによって、さらに完全な断熱層・空気遮断層が形成されて、可燃性液体の火災は完全に鎮火する。
【００６２】
このようにして、直径８０ｍ〜９０ｍにも及ぶ石油タンクやタンカー等において可燃性液体の全面火災になった場合にも、より確実にかつ短時間で泡消火剤及び／または粉末消火剤によって消火することができる消火用補助材となる。
【００６３】
請求項１０の発明にかかる消火用補助材は、無機化合物の中空粒子または中空のガラスビーズまたはガラスビーズブロックまたは中空微細気泡ガラスブロックの表面を難燃剤で被覆したものである。ここで、「難燃剤」としては、水酸化マグネシウム、炭酸カルシウム、水酸化カルシウム、等を用いることができる。
【００６４】
このような難燃剤が高温の炎に曝されると、水或いは炭酸ガスを放出して別の化合物に変化するため、放出された水によって冷却効果が得られ、また放出された炭酸ガスによって空気遮断効果が得られる。したがって、本発明にかかる消火用補助材を構成する中空粒子、中空のガラスビーズ及び／またはガラスビーズブロック及び／または中空微細気泡ガラスブロックによって可燃性液体の表面に形成される断熱層・空気遮断層の効果が、放出される水または炭酸ガスによってさらに高められるため、より短時間で火災の勢いを衰えさせることができ、本発明にかかる消火用補助材を散布した後に、或いは本発明にかかる消火用補助材を散布するのと同時に、泡消火剤及び／または粉末消火剤を噴射することによって、さらに完全な断熱層・空気遮断層が形成されて、可燃性液体の火災は完全に鎮火する。
【００６５】
このようにして、直径８０ｍ〜９０ｍにも及ぶ石油タンクやタンカー等において可燃性液体の全面火災になった場合にも、より確実にかつ短時間で泡消火剤及び／または粉末消火剤によって消火することができる消火用補助材となる。
【００６６】
請求項１１の発明にかかる消火用補助材は、難燃剤が水酸化マグネシウム、炭酸カルシウム、水酸化カルシウムのいずれかである。水酸化マグネシウム、水酸化カルシウムが高温に曝されると水を放出して酸化マグネシウム、酸化カルシウムになるため、放出された水によって冷却効果が得られ、また炭酸カルシウムが高温に曝されると炭酸ガスを放出して酸化カルシウムになるため、放出された炭酸ガスによって空気遮断効果が得られる。さらに、これらの水酸化マグネシウム、炭酸カルシウム、水酸化カルシウムは、いずれも安価な無機化合物であるため、低コストで無機化合物の中空粒子、中空のガラスビーズまたはガラスビーズブロックまたは中空微細気泡ガラスブロックの表面を被覆することができる。
【００６７】
したがって、本発明にかかる消火用補助材を構成する中空粒子、中空のガラスビーズまたはガラスビーズブロックまたは中空微細気泡ガラスブロックによって可燃性液体の表面に形成される断熱層・空気遮断層の効果が、放出される水または炭酸ガスによってさらに高められるため、より短時間で火災の勢いを衰えさせることができ、本発明にかかる消火用補助材を散布した後に、或いは本発明にかかる消火用補助材を散布するのと同時に、泡消火剤及び／または粉末消火剤を噴射することによって、さらに完全な断熱層・空気遮断層が形成されて、可燃性液体の火災は完全に鎮火する。
【００６８】
このようにして、直径８０ｍ〜９０ｍにも及ぶ石油タンクやタンカー等において可燃性液体の全面火災になった場合にも、より確実に短時間でかつ低コストで泡消火剤及び／または粉末消火剤によって消火することができる消火用補助材となる。
【００６９】
請求項１２の発明にかかる可燃性液体の消火方法は、可燃性液体の火災発生時における消火方法であって、請求項１乃至請求項１１のいずれか１つに記載の消火用補助材を、泡消火剤及び／または粉末消火剤を噴射する前に、或いは泡消火剤及び／または粉末消火剤を噴射するのと同時に可燃性液体の表面に散布する。
【００７０】
前述の如く、可燃性液体の比重は０．７〜０．９５の範囲内にあり、請求項１乃至請求項１１にかかる消火用補助材は比重が０．２〜０．６の範囲内にあるため、可燃性液体に浮き、可燃性液体の表面に断熱層・空気遮断層を形成する。
【００７１】
このように、請求項１乃至請求項１１にかかる消火用補助材によって形成された断熱層の断熱効果と空気遮断効果によって火災の勢いが衰えたところで、或いは請求項１乃至請求項１１にかかる消火用補助材を投入するのと同時に、泡消火剤及び／または粉末消火剤を噴射することによって、さらに完全な断熱層・空気遮断層が形成されて、可燃性液体の火災は完全に鎮火する。ここで、消火用補助材は可燃性液体の表面を完全に覆う必要はなく、６０％近く覆うことによって、泡消火剤及び／または粉末消火剤を噴射することによる消火の効果が高まる。
【００７２】
このようにして、直径８０ｍ〜９０ｍにも及ぶ石油タンクやタンカー等において可燃性液体の全面火災になった場合にも、確実に泡消火剤及び／または粉末消火剤によって短時間で消火することができる可燃性液体の消火方法となる。
【００７３】
請求項１３の発明にかかる消火用補助材または可燃性液体の消火方法は、可燃性液体が石油精製製品である。「石油精製製品」としては、ナフサ、ガソリン、灯油、軽油、重油等があるが、これらはいずれも比重が０．７５〜０．９５の範囲内にあるので、比重が０．２〜０．６の範囲内にある本発明にかかる消火用補助材はこれらの石油精製製品に浮き、石油精製製品の表面に断熱層・空気遮断層を形成する。
【００７４】
また、石油精製製品の火災においては、油面は８００℃程度であり、炎は１３００℃前後に達するが、本発明にかかる消火用補助材は短時間耐熱性が１３００℃〜１６００℃の範囲内であるため、炎の中に投入されても溶けることなく、次々と投入されることによって断熱効果により炎の温度も低下するため、石油精製製品の表面に形成された断熱層・空気遮断層が破壊されることはない。
【００７５】
このように、本発明にかかる消火用補助材によって形成された断熱層の断熱効果と空気遮断効果によって火災の勢いが衰えたところで、或いは本発明にかかる消火用補助材を投入するのと同時に、泡消火剤及び／または粉末消火剤を噴射することによって、さらに完全な断熱層・空気遮断層が形成されて、石油精製製品の火災は完全に鎮火する。ここで、消火用補助材は石油精製製品の表面を完全に覆う必要はなく、６０％近く覆うことによって、泡消火剤及び／または粉末消火剤を噴射することによる消火の効果が高まる。
【００７６】
このようにして、直径８０ｍ〜９０ｍにも及ぶ石油タンクやタンカー（油輸送船）において石油精製製品の全面火災になった場合にも、確実に泡消火剤及び／または粉末消火剤によって短時間で消火することができる消火用補助材または可燃性液体の消火方法となる。
【発明を実施するための最良の形態】
【００７７】
以下、本発明の実施の形態について、図面を参照しつつ説明する。
【００７８】
実施の形態１
まず、本発明の実施の形態１について、図１を参照して説明する。図１（ａ）は本発明の実施の形態１にかかる消火用補助材の外観を示す図、（ｂ）は断面図である。
【００７９】
図１（ａ），（ｂ）に示されるように、本実施の形態１にかかる消火用補助材１は、外径Ｒ＝約４ｍｍ〜約８ｍｍ、肉厚ｔ＝約０．５ｍｍ〜約２ｍｍの廃材のガラスからなる中空のガラスビーズである。
【００８０】
この中空のガラスビーズ１は、次のようにして製造することができる。まず、廃材のガラスを４０μｍ程度の微粒子に粉砕する。次に、発泡剤としてケイ酸アルミニウム化合物を２重量％〜３重量％添加するが、これは後述する加熱時に７５０℃〜８００℃で炭酸ガスを発生させるためである。なお、発泡剤としては、ケイ酸アルミニウム化合物の他に、炭酸カルシウム、炭酸マグネシウム、ドロマイト、等を用いることができる。さらに、粘着剤としてケイ酸ナトリウム等を５重量％〜１０重量％添加し、造粒して乾燥した後にロータリーキルンで８５０℃で１０分間〜１５分間加熱焼成して発泡させる。
【００８１】
以上の工程によって、中空のガラスビーズ１が製造される。したがって、中空のガラスビーズ１の組成は表１に示されるようになる。
【００８２】
【表１】
2007029125.tif 000003
【００８３】
表１に示されるように、この中空のガラスビーズ１はカーボンレスであるために、溶鉱炉（約１６００℃）の断熱にも使用できることから、短時間耐熱性が約１６００℃であるものと考えられる。よって、石油火災の炎（約１３００℃）の中に投入されても溶けることなく、次々と投入されることによって断熱効果により炎の温度も低下するため、石油等の可燃性液体の表面に形成された断熱層・空気遮断層が破壊されることもない。また、カーボンレスであるために、消火の効果が一層高まる。
【００８４】
この中空のガラスビーズ１の熱伝導率を測定し、他の主な物質と比較した結果を表２に示す。
【００８５】
【表２】
2007029125.tif 000004
【００８６】
表２に示されるように、中空のガラスビーズ１の熱伝導率は約０．０９Ｗ／（ｍ・Ｋ）であり、水よりも耐火レンガよりも小さいばかりか、空気以外のどの物質よりも小さい。このことより、中空のガラスビーズ１は、優れた断熱性を示すものと考えられる。
【００８７】
実際に、この中空のガラスビーズ１の断熱効果・空気遮断効果を確認するために、消火実験を行った。一辺の長さが約１ｍの角形の金属製バットに灯油を満たし、着火して全面に炎が回ったところで、中空のガラスビーズ１を次々に投入したところ、金属製バットの表面の約７０％がガラスビーズ１で覆われた段階で炎の勢いは急速に弱まり、市販の泡消火器で泡消火剤を噴射したところ、直ちに消火することができた。
【００８８】
この際に、中空のガラスビーズ１を次々に投入する方法として、不燃性のパイプ中を空気で中空のガラスビーズ１を圧送している。これによって、作業者が高温の炎に近づくことなく中空のガラスビーズ１を次々に投入することができる。なお、不燃性のパイプ中を中空のガラスビーズ１を圧送する加圧気体としては、空気以外にも窒素・二酸化炭素・アルゴン等の不活性気体を用いることもでき、これによって消火の効果が一層向上する。
【００８９】
このようにして、本実施の形態１にかかる消火用補助材としての直径約４ｍｍ〜約８ｍｍの廃材のガラスからなる中空のガラスビーズ１は、石油精製製品としての灯油の火災においては油面が８００℃程度であり炎は１３００℃前後に達するが、短時間耐熱性が約１６００℃であるため、炎の中に投入されても溶けることなく、次々と投入されることによって炎の温度も低下して灯油の表面に形成された断熱層・空気遮断層が破壊されず、火災の勢いが衰えたところで、泡消火剤を噴射することで完全な断熱層・空気遮断層が形成されて、灯油の火災を完全に鎮火させることができる。
【００９０】
実施の形態２
次に、本発明の実施の形態２について、図２を参照して説明する。図２は本実施の形態２にかかる消火用補助材の外観を示す斜視図である。
【００９１】
図２に示されるように、本実施の形態２にかかる消火用補助材２は、直径約４ｍｍの廃材のガラスからなる中空のガラスビーズ１を融着させてなる、長さ約１００ｍｍ、幅約１００ｍｍ、厚さ約１５ｍｍのガラスビーズブロックであり、比重は約０．４である。
【００９２】
かかる大きさの複数の中空のガラスビーズ１からなるガラスビーズブロック２を複数個、火災を起こしている可燃性液体の上から次々に投下することによって、可燃性液体に浮き、可燃性液体の表面に断熱層・空気遮断層を形成する。
【００９３】
そして、本実施の形態２にかかるガラスビーズブロック２は中空のガラスビーズ１を融着させて形成したものであるため、高温の可燃性液体に触れても表面の中空のガラスビーズ１は溶けたり割れたりする可能性があるが、ガラスビーズブロック２がばらばらに分解してしまうことはない。
【００９４】
このように可燃性液体の表面に形成される断熱層・空気遮断層の効果によって、火災の勢いを衰えさせることができ、泡消火剤及び／または粉末消火剤を噴射することによって、さらに完全な断熱層・空気遮断層が形成されて、可燃性液体の火災は完全に鎮火する。
【００９５】
実際に、本実施の形態２にかかる消火用補助材としてのガラスビーズブロック２の断熱効果・空気遮断効果を確認するために、実施の形態１と同様にして消火実験を行った。即ち、一辺の長さが約１ｍの角形の金属製バットに灯油を満たし、着火して全面に炎が回ったところで、ガラスビーズブロック２を次々に投入したところ、金属製バットの表面の約７０％がガラスビーズブロック２で覆われた段階で炎の勢いは急速に弱まり、市販の泡消火器で泡消火剤を噴射したところ、直ちに消火することができた。
【００９６】
このようにして、本実施の形態２にかかる消火用補助材としてのガラスビーズブロック２は、石油精製製品としての灯油の火災においては油面が８００℃程度であり炎は１３００℃前後に達するが、短時間耐熱性が約１６００℃であるとともに表面の中空のガラスビーズ１は溶けたり割れたりする可能性があるが、内部の中空のガラスビーズ１は溶けたり割れたりすることがなく、次々と投入されることによって炎の温度も低下して灯油の表面に形成された断熱層・空気遮断層が破壊されず、火災の勢いが衰えたところで、泡消火剤を噴射することで完全な断熱層・空気遮断層が形成されて、灯油の火災を完全に鎮火させることができる。
【００９７】
本実施の形態２においては、中空のガラスビーズ１を融着させることによってガラスビーズブロックを形成した例について説明したが、中空のガラスビーズ１を無機系接着剤で接着させることによってガラスビーズブロックを形成しても良い。
【００９８】
実施の形態３
次に、本発明の実施の形態３について、図３を参照して説明する。図３は本実施の形態３にかかる消火用補助材の構造を示す断面図である。
【００９９】
図３に示されるように、本実施の形態３にかかる消火用補助材３は、直径約４ｍｍ〜約８ｍｍの廃材のガラスからなる中空のガラスビーズ１の表面を、難燃剤としての水酸化マグネシウム４で被覆してなるものである。このように中空のガラスビーズ１の表面を水酸化マグネシウム４で被覆することによって、本実施の形態３にかかる消火用補助材３を火災を起こしている可燃性液体の中に投入すると、水酸化マグネシウム４が高温に曝されることによって水を放出して酸化マグネシウムになるため、放出された水によって冷却効果が得られる。
【０１００】
したがって、本実施の形態３にかかる消火用補助材３を構成する中空のガラスビーズ１によって可燃性液体の表面に形成される断熱層・空気遮断層の効果が、放出される水によってさらに高められるため、より短時間で火災の勢いを衰えさせることができる。
【０１０１】
実際に、本実施の形態３にかかる消火用補助材３の断熱効果・空気遮断効果を確認するために、実施の形態１，２と同様にして消火実験を行った。即ち、一辺の長さが約１ｍの角形の金属製バットに灯油を満たし、着火して全面に炎が回ったところで、消火用補助材３を次々に投入したところ、金属製バットの表面の約６０％がガラスビーズ１で覆われた段階で炎の勢いは急速に弱まり、市販の泡消火器で泡消火剤を噴射したところ、直ちに消火することができた。このように、本実施の形態３にかかる消火用補助材３を用いることによって、実施の形態１にかかる消火用補助材１を用いた場合よりも短時間で消火することができることが分かった。
【０１０２】
この際に、中空のガラスビーズ１の表面を水酸化マグネシウム４で被覆してなる消火用補助材３を次々に投入する方法として、不燃性のパイプ中を空気で消火用補助材３を圧送している。これによって、作業者が高温の炎に近づくことなく消火用補助材３を次々に投入することができる。なお、不燃性のパイプ中を消火用補助材３を圧送する加圧気体としては、空気以外にも窒素・二酸化炭素・アルゴン等の不活性気体を用いることもでき、これによって消火の効果が一層向上する。
【０１０３】
このようにして、本実施の形態３にかかる消火用補助材３は、中空のガラスビーズ１の表面を難燃剤としての水酸化マグネシウム４で被覆してなるものであるため、水酸化マグネシウム４が高温に曝されることによって水を放出して酸化マグネシウムになり、放出された水によって冷却効果が得られることから消火用補助材３を構成する中空のガラスビーズ１によって可燃性液体としての灯油の表面に形成される断熱層・空気遮断層の効果が、放出される水によってさらに高められて、より短時間で火災の勢いを衰えさせることができ、確実にかつ短時間で泡消火剤によって消火することができる。
【０１０４】
実施の形態４
次に、本発明の実施の形態４について、図４を参照して説明する。図４は本実施の形態４にかかる消火用補助材の構成を示す断面図である。
【０１０５】
図４に示されるように、本実施の形態４にかかる消火用補助材５は、直径約４ｍｍの廃材のガラスからなる中空のガラスビーズ１を融着させてなる、長さ約１００ｍｍ、幅約１００ｍｍ、厚さ約１５ｍｍのガラスビーズブロック２の表面を難燃剤としての水酸化マグネシウム４で被覆してなるものであり、比重は約０．４である。このように中空のガラスビーズ１からなるガラスビーズブロック２の表面を水酸化マグネシウム４で被覆することによって、本実施の形態４にかかる消火用補助材５を火災を起こしている可燃性液体の中に投入すると、水酸化マグネシウム４が高温に曝されることによって水を放出して酸化マグネシウムになるため、放出された水によって冷却効果が得られる。
【０１０６】
したがって、本実施の形態４にかかる消火用補助材５を構成するガラスビーズブロック２によって可燃性液体の表面に形成される断熱層・空気遮断層の効果が、放出される水によってさらに高められるため、より短時間で火災の勢いを衰えさせることができる。
【０１０７】
かかるガラスビーズブロック２を水酸化マグネシウム４で被覆してなる消火用補助材５を複数個、さらに実施の形態３にかかる中空のガラスビーズ１の表面を難燃剤としての水酸化マグネシウム４で被覆してなる消火用補助材３をも混合して、火災を起こしている可燃性液体の上から次々に投下することによって、これらの消火用補助材３，５は可燃性液体に浮き、可燃性液体の表面に断熱層・空気遮断層を形成する。
【０１０８】
そして、本実施の形態４にかかる消火用補助材５を構成するガラスビーズブロック２は中空のガラスビーズ１を融着させて形成したものであるため、高温の可燃性液体に触れても表面の中空のガラスビーズ１は溶けたり割れたりする可能性があるが、ガラスビーズブロック２がばらばらに分解してしまうことはない。
【０１０９】
このように可燃性液体の表面に形成される断熱層・空気遮断層の効果、及び水酸化マグネシウム４から放出される水の冷却の効果によって、火災の勢いを衰えさせることができ、泡消火剤及び／または粉末消火剤を噴射することによって、さらに完全な断熱層・空気遮断層が形成されて、可燃性液体の火災は完全に鎮火する。
【０１１０】
実際に、本実施の形態４にかかる消火用補助材５の断熱効果・空気遮断効果を確認するために、実施の形態１，２，３と同様にして消火実験を行った。即ち、一辺の長さが約１ｍの角形の金属製バットに灯油を満たし、着火して全面に炎が回ったところで、消火用補助材５を次々に投入したところ、金属製バットの表面の約６０％が消火用補助材５で覆われた段階で炎の勢いは急速に弱まり、市販の泡消火器で泡消火剤を噴射したところ、直ちに消火することができた。
【０１１１】
このようにして、本実施の形態４にかかる消火用補助材５は、石油精製製品としての灯油の火災においては油面が８００℃程度であり炎は１３００℃前後に達するが、短時間耐熱性が約１６００℃であるとともに表面の中空のガラスビーズ１は溶けたり割れたりする可能性があるが、内部の中空のガラスビーズ１は溶けたり割れたりすることがなく、次々と投入されることによって炎の温度も低下して灯油の表面に形成された断熱層・空気遮断層が破壊されず、火災の勢いが衰えたところで、泡消火剤を噴射することで完全な断熱層・空気遮断層が形成されて、灯油の火災を完全に鎮火させることができる。
【０１１２】
本実施の形態４においても、中空のガラスビーズ１を融着させることによってガラスビーズブロック２を形成した例について説明したが、中空のガラスビーズ１を無機系接着剤で接着させることによってガラスビーズブロック２を形成しても良い。
【０１１３】
実施の形態５
次に、本発明の実施の形態５について説明する。本実施の形態５にかかる消火用補助材は、長さ約１００ｍｍ、幅約１００ｍｍ、厚さ約１５ｍｍの中空微細気泡ガラスブロックである。
【０１１４】
この中空微細気泡ガラスブロックは、次のようにして製造することができる。まず、廃材のガラスを４０μｍ程度の微粒子に粉砕し、発泡剤としてケイ酸アルミニウム化合物を２重量％〜３重量％添加するが、これは後述する加熱時に７５０℃〜８００℃で炭酸ガスを発生させるためである。なお、発泡剤としては、ケイ酸アルミニウム化合物の他に、炭酸カルシウム、炭酸マグネシウム、ドロマイト、等を用いることができる。さらに、粘着剤としてケイ酸ナトリウム等を５重量％〜１０重量％添加し、ブロック状に成形して乾燥した後にロータリーキルンで８５０℃で１０分間〜１５分間加熱焼成して発泡させて製造する。
【０１１５】
このようにして製造した中空微細気泡ガラスブロックは、比重が０．２〜０．４と小さいため、かかる長さ約１００ｍｍ、幅約１００ｍｍ、厚さ約１５ｍｍの中空微細気泡ガラスブロックを複数個、火災を起こしている可燃性液体の上から次々に投下することによって、可燃性液体に浮き、可燃性液体の表面に断熱層・空気遮断層を形成する。
【０１１６】
そして、本実施の形態５にかかる中空微細気泡ガラスブロックは、高温の可燃性液体に触れても中空微細気泡ガラスブロックの表面は溶けたり割れたりする可能性があるが、中空微細気泡ガラスブロックの全体がばらばらに分解してしまうことはない。このように可燃性液体の表面に形成される断熱層・空気遮断層の効果によって、火災の勢いを衰えさせることができ、泡消火剤及び／または粉末消火剤を噴射することによって、さらに完全な断熱層・空気遮断層が形成されて、可燃性液体の火災は完全に鎮火する。
【０１１７】
実際に、本実施の形態５にかかる消火用補助材としての中空微細気泡ガラスブロックの断熱効果・空気遮断効果を確認するために、実施の形態１〜４と同様にして消火実験を行った。即ち、一辺の長さが約１ｍの角形の金属製バットに灯油を満たし、着火して全面に炎が回ったところで、中空微細気泡ガラスブロックを次々に投入したところ、金属製バットの表面の約７０％が中空微細気泡ガラスブロックで覆われた段階で炎の勢いは急速に弱まり、市販の泡消火器で泡消火剤を噴射したところ、直ちに消火することができた。
【０１１８】
このようにして、本実施の形態５にかかる消火用補助材としての中空微細気泡ガラスブロックは、石油精製製品としての灯油の火災においては油面が８００℃程度であり炎は１３００℃前後に達するが、中空微細気泡ガラスブロックの表面は溶けたり割れたりする可能性があるが、中空微細気泡ガラスブロックの内部は溶けたり割れたりすることがなく、次々と投入されることによって炎の温度も低下して灯油の表面に形成された断熱層・空気遮断層が破壊されず、火災の勢いが衰えたところで、泡消火剤を噴射することで完全な断熱層・空気遮断層が形成されて、灯油の火災を完全に鎮火させることができる。
【０１１９】
なお、本実施の形態５にかかる消火用補助材としての中空微細気泡ガラスブロックにおいても、上記実施の形態３，４と同様に難燃剤としての水酸化マグネシウム４で表面を覆うことによって、より一層断熱層・空気遮断層の効果を向上させることができる。
【０１２０】
上記実施の形態３，４においては、難燃剤として水酸化マグネシウム４を用いた場合について説明したが、難燃剤としては水酸化マグネシウム４に限られるものではなく、炭酸カルシウム、水酸化カルシウムを始めとして、種々の難燃剤を用いることができる。さらに、これらの水酸化マグネシウム、炭酸カルシウム、水酸化カルシウムは、いずれも安価な無機化合物であるため、低コストで中空のガラスビーズ１及びガラスビーズブロック２或いは中空微細気泡ガラスブロックの表面を被覆することができる。
【０１２１】
上記各実施の形態においては、無機化合物の中空粒子としてガラスからなる中空粒子（中空のガラスビーズ）を使用した場合のみについて説明したが、無機化合物の中空粒子としては、他にもシリカ（ＳｉＯ2 ）、アルミナ（Ａｌ2 Ｏ3 ）、等のセラミックスの中空粒子を始めとして、種々の無機化合物の中空粒子を用いることができる。特に、シリカ（ＳｉＯ2 ）、アルミナ（Ａｌ2 Ｏ3 ）、等のセラミックスの中空粒子を用いた場合には、衝撃や熱歪に対してガラスよりも割れにくいという利点が得られる。
【０１２２】
また、上記各実施の形態においては、より低コスト化するために廃材のガラスからなる中空粒子（中空のガラスビーズ）または中空微細気泡ガラスブロックを使用しているが、必ずしも廃材のガラスからなる中空のガラスビーズまたは中空微細気泡ガラスブロックでなくても良い。
【０１２３】
さらに、上記各実施の形態においては、消火用補助材を投入した後、泡消火剤で完全に消火する例についてのみ説明したが、粉末消火剤を用いても同様に完全に消火することができる。
【０１２４】
本発明を実施するに際しては、消火用補助材のその他の部分の構成、成分、材質、大きさ、形状、数量、製造方法等についても、上記各実施の形態に限定されるものではない。
【図面の簡単な説明】
【０１２５】
【図１】図１（ａ）は本発明の実施の形態１にかかる消火用補助材の外観を示す図、（ｂ）は断面図である。
【図２】図２は本実施の形態２にかかる消火用補助材の外観を示す斜視図である。
【図３】図３は本実施の形態３にかかる消火用補助材の構造を示す断面図である。
【図４】図４は本実施の形態４にかかる消火用補助材の構成を示す断面図である。
【符号の説明】
【０１２６】
１  消火用補助材（中空のガラスビーズ）
２  消火用補助材（ガラスビーズブロック）
３，５  消火用補助材
４  難燃剤
【図１】
2007029125.tif 000005
【図２】
2007029125.tif 000006
【図３】
2007029125.tif 000007
【図４】
2007029125.tif 000008